(57)【要約】  折り畳み式ベビーベッド（１）は、第１の端部（１０）と第２の端部（１１）に取り付けられた基底（１２）と、基底（１２）の対向する側部の上方で第１と第２の端部（１０、１１）の間に接続されたサイドバー（２０、２１）を備え、第１のサイドバー（２０）は第２のサイドバー（２１）よりも基底（１２）から遠くに配置され、サイドバー（２０、２１）は、両サイドバーが互いに対して折り畳めるようにそれぞれ枢着され、基底（２）は、前記第１と第２のサイドバー（２０、２１）のほうに折り畳めるように枢着され、その結果、基底（１２）を折り畳むと、サイドバー（２０、２１）の折り畳みを引き起こし、ベビーベッド（１）は、基底（１２）と第１（２０）と第２（２１）のサイドバーが実質的に折り畳まれていない（１０）第１の構成から、第２の構成に動かされてもよく、第２の構成では、基底（１２）は第１と第２のサイドバー（２０、２１）の方向に折り畳まれ、第１のサイドバー（２０）が第２のサイドバー（２１）の上方に折り畳まれて、第１と第２の端部（１０、１１９）が寄せ合わされて、折り畳まれた基底（１２）と折り畳まれた第１と第２のサイドバー（２０、２１）が両端部の間に来るように、第１と第２のサイドバー（２０、２１）が折り畳まれる。
2018501939.tif 000002
【特許請求の範囲】
【請求項１】
折り畳み式ベビーベッドであって、
第１の端部と第２の端部に取り付けられた基底と、
前記基底の対向する側部の上方で前記第１と第２の端部の間に接続された第１と第２のサイドバーを備え、
前記第１のサイドバーは前記第２のサイドバーよりも前記基底から遠くに配置され、
前記第１と第２のサイドバーは、両サイドバーが互いに対して折り畳めるようにそれぞれ枢着され、
前記基底は、前記第１と第２のサイドバーのほうに折り畳めるように枢着され、
前記ベビーベッドは、前記基底と第１と第２のサイドバーが実質的に折り畳まれていない第１の構成から、第２の構成に動かされてもよく、第２の構成では、前記基底は前記第１と第２のサイドバーの方向に折り畳まれ、前記第１のサイドバーが第２のサイドバーの上方に折り畳まれ、第１と第２の端部が寄せ合わされて、折り畳まれた基底と折り畳まれた第１と第２のサイドバーが両端部の間に来るように、前記第１と第２のサイドバーが折り畳まれる、ベビーベッド。
【請求項２】
前記第１と第２のサイドバーは中間点で枢着される、請求項１に記載のベビーベッド。
【請求項３】
前記基底は中間点で枢着される。請求項１または２に記載のベビーベッド。
【請求項４】
前記基底は前記第１と第２の端部に対して平行に枢着される、請求項１から３のいずれかに記載のベビーベッド。
【請求項５】
前記第１と第２のサイドバーは、両サイドバーが前記第１と第２の端部に対して枢動できるように取り付けられる、請求項１から４のいずれかに記載のベビーベッド。
【請求項６】
前記ベビーベッドの第１と第２のサイドバーそれぞれと基底に固定される第１と第２の側部をさらに備える、請求項１から５のいずれかに記載のベビーベッド。
【請求項７】
前記第１と第２の側部も前記基底に取り付けられている、請求項６に記載のベビーベッド。
【請求項８】
前記第１と第２の側部は、メッシュ材で形成された少なくとも１つの部分を含む、請求項６または７に記載のベビーベッド。
【請求項９】
前記第１と第２の側部は、可撓性材料で形成された少なくとも１つの部分を含む、請求項６から８のいずれか一項に記載のベビーベッド。
【請求項１０】
前記第１と第２のサイドバーのヒンジは、前記ベビーベッドが第１の位置にあるときに、それぞれ第１と第２のロックアウトによって展開位置にロックされ得る、請求項１から９のいずれかに記載のベビーベッド。
【請求項１１】
前記第１と第２のロックアウトはバネ付きロック部材を含む、請求項１０に記載のベビーベッド。
【請求項１２】
前記バネ付きロック部材は、付勢されてロック構成になる突出部を含む、請求項１１に記載のベビーベッド。
【請求項１３】
前記第１と第２のロックアウトはオーバーセンターロックアウトである、請求項１０に記載のベビーベッド。
【請求項１４】
前記基底はさらに、前記ベビーベッドの基底とともに折り畳めるマットレスを含む、請求項１から１３のいずれかに記載のベビーベッド。
【請求項１５】
前記マットレスは枢着された部分を含む。請求項１４に記載のベビーベッド。
【請求項１６】
前記マットレスは２部品で形成される、請求項１４に記載のベビーベッド。
【請求項１７】
前記基底はさらに、その裏面に少なくとも１つの基底脚部を含む、請求項１から１６のいずれか一項に記載のベビーベッド。
【請求項１８】
前記基底脚部または前記基底脚部それぞれは、前記基底のヒンジと一体に形成される、請求項１７に記載のベビーベッド。
【請求項１９】
前記第１と第２の端部は、前記ベビーベッドの基底に、または前記ベビーベッドの基底付近に配置された対応する第１と第２の脚部分を含む、請求項１から１８のいずれかに記載のベビーベッド。
【請求項２０】
前記第１と第２の脚部分のうち少なくとも一方は車輪またはキャスターを含む、請求項１９に記載のベビーベッド。
【請求項２１】
前記ベビーベッドが第２の構成にあるとき、前記基底と前記サイドバーは、前記第１と第２の端部内に提供される凹部に収容される、請求項１から２０のいずれかに記載のベビーベッド。
【請求項２２】
前記基底ヒンジは一体ヒンジである、請求項１から２１のいずれかに記載のベビーベッド。
【請求項２３】
前記基底ヒンジはドア型ヒンジである、請求項１から２１のいずれか一項に記載のベビーベッド。
【請求項２４】
前記第１と第２の端部は、前記ベビーベッドが第２の構成にあるときに、前記第１と第２の端部が結合され得るような固定機構を含む、請求項１から２３のいずれかに記載のベビーベッド。
【請求項２５】
前記第１と第２の端部は、前記ベビーベッドが第２の構成にあるときに前記ベビーベッドの上に固定され得るようなカバーを含む、請求項１から２４のいずれかに記載のベビーベッド。
【発明の詳細な説明】
【技術分野】
【０００１】
本発明は、容易に折り畳まれ輸送され得る乳幼児用の折り畳み式ベビーベッドを含む、容易に収納され得る折り畳み式ベッドに関する。
【背景技術】
【０００２】
旅行や訪問時に用いられ得る乳幼児用ベビーベッドがあることが望ましく、それらのベビーベッドは容易な折り畳みと輸送の両方が出来なければならない。そのようなベビーベッドを提供するために様々な試みがなされており、そのようなベビーベッドの二例が、特許文献１と特許文献２に開示されている。これらのベビーベッドは、基底に複雑な管状構成を用いる折り畳み機構を採用している。さらに、このベビーベッドのサイドレールは、ベッドを収納構成に移動させるために下方向に折り畳み可能である。これら２つのベビーベッドは折り畳みが比較的複雑であり、且つ、折り畳まれた場合にベビーベッド内にマットレスを収納できない。
【０００３】
折り畳んだ時にマットレスをベビーベッド内に収納できない場合、ベビーベッドの輸送をより困難にするばかりでなく、マットレスがベビーベッドから分離されて、その後紛失したり忘れ去る可能性がある。
【０００４】
特許文献３および特許文献４は両方とも、より従来型のベビーベッド構成を開示しており、それらも折り畳みと収納が難しい。特に、これらの文献に示されたベビーベッドは、折り畳みも展開も複雑である。これらのベビーベッドはさらに、その複雑な構造により、指詰めの危険ももたらし、それは危険であり得る。
【０００５】
従来技術のベビーベッドまたは乳幼児用ベッドの構成は、一般的に、折り畳みにくく、または、展開構成から収納構成に移すのが難しく、収納するには大きく、多くの場合折り畳みまたは収納前にマットレスを取り外さなければならず、収納中に指詰めその他の怪我の危険をもたらす。
【０００６】
加えて、従来技術のベビーベッドまたは乳幼児用ベッドの構成は、展開構成から収納構成に移すのにかなりの時間がかかることがあり、時には２０分以上かかることがある。
【先行技術文献】
【特許文献】
【０００７】
【特許文献１】欧州特許出願公開第１８７８３６５号明細書
【特許文献２】米国特許出願公開第２０１１／００３１４５７号明細書
【特許文献３】欧州特許出願公開第０５０１０８６号明細書
【特許文献４】米国特許出願公開第２００８／０２７１２４４号明細書
【発明の概要】
【発明が解決しようとする課題】
【０００８】
本発明は、従来技術の折り畳み式ベビーベッドまたは乳幼児用ベッドに関する問題を軽減することを目指す。
【０００９】
特に、本発明は、従来技術の折り畳み式ベビーベッドへの改良を目指し、ベビーベッドの側部を同時に折り畳むことを可能にするシステムを含む。
【課題を解決するための手段】
【００１０】
したがって本発明の一態様は、折り畳み式ベビーベッドを提供し、そのベビーベッドは、第１の端部と第２の端部に取り付けられた基底と、基底の対向する側部の上方で第１と第２の端部の間に接続された第１と第２のサイドバーを含み、第１のサイドバーは第２のサイドバーよりも基底から遠くに配置され、第１と第２のサイドバーは、両サイドバーが互いに前方に折り畳めるようにそれぞれ枢着され、基底は、第１と第２のサイドバーのほうに折り畳めるように枢着され、ベビーベッドは、基底と第１と第２のサイドバーが実質的に折り畳まれていない第１の構成から、第２の構成に動かされてもよく、第２の構成では、基底は第１と第２のサイドバーの方向に折り畳まれ、第１のサイドバーが第２のサイドバーの上方に折り畳まれ、第１と第２の端部が寄せ合わされて、折り畳まれた基底と折り畳まれた第１と第２のサイドバーが両端部の間に来るように、第１と第２のサイドバーが折り畳まれる。
【００１１】
好ましくは、第１と第２のサイドバーは中間点で枢着される。
【００１２】
便利には、基底は中間点で枢着される。
【００１３】
有利には、基底は第１と第２の端部に対して平行に枢着される。
【００１４】
好ましくは、第１と第２のサイドバーは、両サイドバーが第１と第２の端部に対して枢動できるように取り付けられる。
【００１５】
便利には、ベビーベッドはさらに、ベビーベッドのそれぞれ第１と第２のサイドバーと基底に固定される第１と第２の側部を備える。
【００１６】
有利には、第１と第２の側部も基底に取り付けられている。
【００１７】
好ましくは、第１と第２の側部は、メッシュ材で形成された少なくとも１つの部分を含む。
【００１８】
便利には、第１と第２の側部は可撓性材料で形成された少なくとも１つの部分を含む。
【００１９】
有利には、第１と第２のサイドバーのヒンジは、ベビーベッドが第１の位置にあるときに、それぞれ第１と第２のロックアウトによって展開位置にロックされ得る。
【００２０】
好ましくは、第１と第２のロックアウトはバネ付きロック部材を含む。
【００２１】
便利には、バネ付きロック部材は、付勢されてロック構成になる突出部を含む。
【００２２】
代替的に、第１と第２のロックアウトはオーバーセンターロックアウトである。
【００２３】
有利には、基底はさらに、ベビーベッドの基底とともに折り畳めるマットレスを含む。
【００２４】
好ましくは、マットレスは枢着された部分を含む。
【００２５】
代替的に、マットレスは２部品で形成される。
【００２６】
便利には、基底はさらに、その裏面に少なくとも１つの基底脚部を含む。
【００２７】
有利には、基底脚部または基底脚部それぞれは、基底のヒンジと一体に形成される。
【００２８】
好ましくは、第１と第２の端部は、ベビーベッドの基底に、またはベビーベッドの基底付近に配置された対応する第１と第２の脚部分を含む。
【００２９】
便利には、第１と第２の脚部分のうち少なくとも一方は車輪またはキャスターを含む。
【００３０】
有利には、ベビーベッドが第２の構成にあるとき、基底とサイドバーは、第１と第２の端部内に提供される凹部に収容される。
【００３１】
好ましくは、基底ヒンジは一体ヒンジである。
【００３２】
代替的に、基底ヒンジはドア型ヒンジである。
【００３３】
便利には、第１と第２の端部は、ベビーベッドが第２の構成にあるときに、第１と第２の端部が互いに固定され得るような固定機構を含む。
【００３４】
有利には、第１と第２の端部は、ベビーベッドが第２の構成にあるときにベビーベッドの上に固定され得るようなカバーを含む。
【００３５】
ここで、本発明の実施形態を、図面を参照して、例としてのみ説明する。
【図面の簡単な説明】
【００３６】
【図１】本発明による折り畳み式ベビーベッドを、展開構成で示す図である。
【図２】本発明による別の折り畳み式ベビーベッドの図である。
【図３】本発明によるさらに別の折り畳み式ベビーベッドを示す図である。
【図４】図１に示した折り畳み式ベビーベッドの一部分の接近図である。
【図５】部分的に折り畳まれた本発明によるベビーベッドの図である。
【図６】折り畳み過程がさらに進行中の図５のベビーベッドを示す図である。
【図７】本発明による折り畳み式ベビーベッドを、折り畳まれた構成で示す図である。
【図８】本発明による別の折り畳み式ベビーベッドを、折り畳まれた構成で示す図である。
【発明を実施するための形態】
【００３７】
ここで先ず図１を参照すると、本発明の一実施形態によるベビーベッドが示されている。
ベビーベッド１は展開構成で示され、展開構成から収納構成に折り畳まれ得るように構築されている。
【００３８】
ベビーベッド１は、基底１２に固定された第１の端部１０と第２の端部１１を含む。さらに、第１のサイドバー２０と第２のサイドバー２１から構成される２本のサイドバーが配設される。見てわかるように、サイドバー２０、２１は基底１２から距離を置いて配置され、基底１２は第１と第２の端部１０、１１の一方の端部、またはその端部付近に配置され、サイドバー２０、２１は第１と第２の端部１０、１１の他方の端部、またはその端部付近に配置されている。
【００３９】
側部３０、３１（図１では図示せず、図３に図示し、以後より詳細に説明する）も、サイドバー２０、２１に取り付けられ、下方にベビーベッド１の基底１２まで届いてそこに固定されてもよい。側部３０、３１はベビーベッド１の側壁を提供する働きをする。
【００４０】
見てわかるように、展開構成の場合、ベビーベッド１の端部１０、１１、基底１２、２本のサイドバー２０、２１および側部３０、３１は、乳幼児であり得る搭乗者を収容してもよい内部空間２を画定する。
【００４１】
両方のサイドバー２０、２１とも、好ましくはサイドバーの中心に配置されたヒンジ２３、２４を含んでもよく、サイドバーはさらに、サイドバーが端部１０、１１に対して回動できるように回動可能な固定具２２によって第１と２の端部１０、１１に回動可能に固定されてもよい。
【００４２】
回動可能な取付具、ヒンジおよび側部に関しては、後でより詳細に説明する。
【００４３】
ベビーベッド１の基底１２は、折り畳まれ得るように枢着されてもよい。好ましくは、基底１２のヒンジは、第１と第２の端部１０、１１に平行な中心線１５に配設される。さらに、基底１２は、「一体ヒンジ」１５であり得る可撓性部分を含む単一部分から形成されても、または、基底ヒンジ２５によって互いに固定された第１の基底部分１３と第２の基底部分１４から形成されてもよい。基底ヒンジ２５は、ドアヒンジであってもよいし、または任意の別の適切なタイプのヒンジであってもよい。 
【００４４】
基底１２がヒンジ１５、２５の周りで折り畳まれることを可能にするために、基底１２の各端部は、好ましくは端部ヒンジ３５によって端部１０、１１に対して回動可能に取り付けられる。基底ヒンジ１５、２５ならびに端部ヒンジ３５の配置は、基底１２が、サイドバー２１、２２に向かって上向きの方向に、且つサイドバー２１、２２に対して直角に折り畳まれ得るようなものになっている。基底ヒンジ２５と同様に、端部ヒンジ３５は一体ヒンジ、ドアヒンジ、または任意の別の適切なタイプのヒンジであってよい。 
【００４５】
ヒンジ１５、２５、３５のうちいずれの１つ以上も、ベビーベッド１が展開構成にある場合に、ベビーベッド１を展開構成を越えた位置まで動かさないようにヒンジが制限されるように配置され得る。これは、ベビーベッド１の構造剛性を改善することになり、また、ベビーベッドが構成間で動かされるときに、運動が単純、迅速且つ予測可能となることも保証する。
【００４６】
図２に示すようなマットレス１９が、基底１２上に配置されてもよい。しかしながら、マットレス１９は基底１２と一体であってもよく、また、ベビーベッド１の基底１２の折り畳みを妨害しないように、ヒンジ１５、２５に対応する折り畳み部分を含み得ることを理解すべきである。
【００４７】
代替的に、マットレス１９は２部品で形成されてもよく、部品それぞれは、ベビーベッド１の基底１２が妨害なくヒンジ１５、２５の周りで折り畳まれ得るように、第１と第２の基底部分１３、１４内に適合するように形作られてもよい。
【００４８】
付加的に、第１と第２の端部１０、１１は両方とも、地面に当接する脚部部分１６、１７を含んでもよく、それでベビーベッドの基底１２が第１と第２の端部１０、１１の脚部分１６、１７から分離され得る。これは、搭乗者と地面の間に隙間を設けることで、ベビーベッドの搭乗者が地面に近付き過ぎることを防止することを補助でき、それは、搭乗者が暑すぎるまたは寒すぎる状態になることを防止する。
【００４９】
基底１２の裏側と地面との間の隙間は、ユーザがベビーベッド１を展開構成から収納構成に動かしている場合にユーザを補助するためにも用いられ得るが、それは、後で説明するように、ユーザは基底１２の裏側を上方に押して、ベビーベッド１を折り畳み得るからである。展開構成から収納構成への動き、または収納構成から展開構成への動きについては、後でより詳細に説明する。      
【００５０】
さらに、ベビーベッド１が展開位置にある場合、また、特に、乳幼児がベビーベッド１内にいるときに基底１２が地面のほうに「下垂する」ことを防止する脚部（図示せず）が、基底１２の裏側に配設され得ると好ましい。脚部は、ヒンジ１５、２５のいずれの側に配置されてもよいし、または、ヒンジ１５、２５の一部として形成されてもよい。
【００５１】
脚部部分１６、１７のうち一方または両方は、車輪またはキャスター４０を含んでもよく、それに関しては後でより詳細に説明する。
【００５２】
図１〜３、５および６に示す実施形態において、サイドバー２０、２１の両方は、その各端部に後方部分２８を含む。後方部分２８は、サイドバー２０、２１の水平部分から９０°で、ベビーベッド１の基底１２のほうに下降して延出する。後方部分２８は、回動可能な固定具２２を超えて、端部１０、１１内に形成されたピボット点１８まで延出してもよい。ピボット点１８は、後方部分２８の端部がピボット点１８に捉えられるが、自在に回動できるように形成される。
【００５３】
この好ましい構成は、ベビーベッド１の構造的安定性も増加させ、また、サイドバー２０、２１がその周りで回動するサイドバー２０、２１の付加的なピボット点を提供もする。
【００５４】
ピボット点１８は、回動可能な固定具と併せて、サイドバー２０、２１が、端部１０、１１の頂部に対して略９０°を越えて回動することを防止でき、それは、ベビーベッド１の、折り畳まれた構成から展開構成への運動、また展開構成から再び折り畳まれた構成に戻る運動が、単純、迅速且つ予測可能となることを保証もする。
【００５５】
さらに、基底１２のピボット点１８と脚部部分１６、１７との間の距離は、基底部分１２がベビーベッド１の端部１０、１１に対して妨げられずに枢動できることを保証する。
【００５６】
図１〜３に示し、より詳細に図４に示すように、サイドバー２０、２１はさらに、それらの対応する中間点にヒンジ２３、２４を含み、それは、サイドバー２０、２１が互いに対して内側に折り畳まれることを可能にする。ベビーベッド１が効率良く折り畳まれることを可能にするために、第１のサイドバー２０は、第２のサイドバー２１よりも基底１２から遠くにあり、したがって、第２のサイドバー２１よりも高くあり得る。
【００５７】
この構成は、日本のサイドバー２０、２１が、互いに衝突または接触することなく妨げられずに内側に折り畳まれ、それらが重なり得ることを保証する。端部１０、１１に設けられた凹部と併せて、これは、ベビーベッド１の、収納構成にある場合の全体的フットプリントを低減するために、第１と第２の端部１０、１１が可能な限り互いに近づけられ得ることを保証できる。端部１０、１１は、ベビーベッド１が折り畳まれた構成にあるときにサイドバー２０、２１が端部１０、１１内に収容され得るように、サイドバー２０、２１向けに特別な形に形成された凹部を含んでもよい、または、好ましくは一般に中空の構成を取ってもよい。
【００５８】
図４を参照すると、ヒンジ２３、２４はさらに、ベビーベッド１の構造剛性を増加させるためのロックアウトを含んでもよく、また、サイドバー２０、２１の偶発的折り畳みを防止してもよい。これは、ベビーベッド１の安全性を増加させるように働き得る。ロックアウトは、オーバーセンター機構の形態を取ってもよく、または、ヒンジ２３、２４を開位置にロックするラッチまたはキャッチを含み得る。代替的に、サイドバー２０、２１の、ヒンジ２３、２４の周りでの偶発的な折り畳みを防止できるその他のタイプのロックアウトまたはラッチが用いられ得る。
【００５９】
好ましくは、図２に示すようにロックアウトはラッチ機構である。見てわかるように、ヒンジ２３、２４は上部と下部を含み、上部はサイドバー２０、２１の一方の第１の部分に接続され、下部はサイドバー２０、２１の一方の第２の部分に接続されている。ヒンジの上部と下部を貫通し、ヒンジ２３、２４の一方の部分がヒンジの他方の部分に対して移動することを可能にするピボット点５０が配設される。
【００６０】
ヒンジに取り付けられたサイドバー２０、２１の第１と第２の部分は、ヒンジ２３、２４の上部と下部に取り付けられている場合は、サイドバー２０、２１の第１の部分と第２の部分両方が同じ高さになるように取り付けられ得ることを理解すべきである。
【００６１】
ヒンジ２３、２４が折り畳まれることを防止するために、バネ付き部材５１がヒンジ２３、２４の一方の部分に配設され、対応する凹部５２がヒンジ２３、２４の他方の部分に配設されてもよい。ベビーベッド１の展開位置にヒンジ２３、２４が位置している場合、バネ付き部材５１は凹部５２内に突出（そして貫通）する。バネ付き部材５１が凹部５２内に通ると、ヒンジ２３、２４が折り畳まれることを防止する。  
【００６２】
ヒンジ２３、２４を折り畳むには、ユーザはバネ付き部材５１を押して、バネ付き部材５１が凹部５２内にもはや突出（そして貫通）しないようにする。すると部材５１はもはやヒンジ２３、２４の折り畳みを防止せず、ユーザが部材５１を押圧している間、ヒンジ２３、２４が折り畳まれ得る。しかしながら、任意の適切なロックアウトシステムが用いられ得ることを理解すべきである。
【００６３】
ヒンジ２３、２４のロックアウトが係合している場合、ヒンジ２３、２４は動かず、したがって、サイドバー２０、２１は折り畳まれ得ない。これが、展開位置にある場合にベビーベッドの高い剛性を保証する。
【００６４】
任意で、ヒンジ２３、２４またはサイドバー２０、２１は、ロックアウトが解除された場合に、例えばプレテンションがかかった側壁３０、３１によって、ピボット点５０での付勢による等で付勢されて、内側への折り畳みを開始してもよい。
【００６５】
図３に戻ると、ベビーベッド１の側壁３０、３１は好ましくはサイドバー２０、２１から下降して基底１２に達し、各側壁３０、３１は基底と、対応するサイドバー２０、２１に取り付けられている。側壁３０、３１は好ましくは、ベビーベッド１が展開構成から収納構成に動かされるときに、側部３０、３１がその動きを邪魔しないように可撓性材料で形成されている。
【００６６】
図３でわかるように、側壁３０、３１は、可撓性材料の中央部３２と、メッシュ材の部分３３を含む。可撓性材料３２はメッシュ材３３よりも高耐久性であってよく、サイドバーヒンジ２３、２４および基底ヒンジ１５、２５と整列して配置され、それが、ベビーベッド１が構成間で動かされるときにメッシュ材３３の劣化を改善し得る。
【００６７】
しかしながら、ベビーベッド１が展開構成から収納構成に、または収納構成から展開構成に動かされるときに、側部３０、３１が折り畳まれることを可能にする、折り目、畳み目または可撓性材料３３の部分を含み得る堅い側部３０、３１も用いられ得ることを理解すべきである。
【００６８】
付加的に、ベビーベッド１の端部は、図７に示すようなハンドル６１付きのクリップ機構６０を含んでもよく、その結果、ベビーベッドの２つの端部が結合して、図７に示すような「スーツケース様」の折り畳まれたベビーベッドをもたらすようにしてもよい。これは、収納構成にある場合にベビーベッド１の容易な収納と移動を可能にする。    
【００６９】
代替的に、ベビーベッド１の端部１０、１１は、二部式カバー８０であり得るカバー８０内に包囲されてもよく、カバー８０の２つの部分は、図８に示すジッパーまたはその他の適切な留め機構であり得る固定機構８１で結合される。カバー８０もまたハンドル８２を含み得る。
【００７０】
ベビーベッド１の２つの端部１０、１１が分離されて、ベビーベッドが収納構成から展開構成に動かされることを可能にするために、固定機構８１とハンドル８２は両方とも、カバー８０の２つの部分が互いから完全に分離され得るように構成される。固定機構８１は完全に解除されてもよく、ハンドル８２は２つの部分から形成されてもよく、クリップ８３または同等物が、ハンドル８２の２つの部分を結合させるために配設されてよい。
【００７１】
さらに、脚部部分１６、１７の車輪またはキャスター４０は、ベビーベッドが、収納構成にあるときに容易に動かされることを可能にできる。
【００７２】
図５および６は、折り畳み過程の異なる段階にあるベビーベッド１を示す。見てわかるように、２つのサイドバー２０、２１は折り畳まれ、基底１２は折り畳まれて、基底の中央ヒンジがサイドバーのほうに上向きに折り畳まれている。サイドバーのロックアウトが解除されると、基底１２は、上向きの折り畳みを開始するように、ユーザによって、多分足を使って持ち上げられる。これはサイドバー２０、２１を完全に内向きに折り畳ませ、したがってベビーベッド１を展開構成から収納構成に動かす。
【００７３】
上記に説明したように、ベビーベッド１が折り畳まれるにつれ、第２のサイドバー２１のヒンジ２４は第１のサイドバー２０のヒンジ２３の下を通過して、ベビーベッド１が滑らかに折り畳まれるようにする。これは、指詰めの危険をもたらし得る複雑な折り畳み構成の必要も排除する。
【００７４】
図４でわかるように、サイドバーは端部１０、１１の最上部へと折り畳まれ、基底１２は、折り畳まれたサイドバーの下に、端部１０、１１によって配設された空間内に収容される。側部３０、３１は基底１２の上に折り畳まれ、端部１０、１１の残りの空間内に収容される。
【００７５】
折り畳み操作は、ロックアウトが解除されたときに、基底１２の上向きの折り畳みがサイドバー２０、２１を折り畳ませるように、同期化されてもよい。この折り畳みはかなり迅速であってよく、展開構成から収納構成に移るのに３秒から４秒程度かかり得る。
【００７６】
図７に示した実施形態において、２つの端部１０、１１の上縁６２は、ベビーベッド１が、輸送または保管されている間に収納構成から展開構成に意図的でなく動く（または実際に収納構成から何らかの形で動く）ことを防止するために互いにクリップで留められる。  
【００７７】
代替的に、または図８に示し上記に説明したのと同様に、端部は寄せ合わされてカバー８０の２つの部分は固定機構８１で結合されて、ベビーベッド１が収納構成から故意でなく動くことを防止する。
【００７８】
使用時、ベビーベッド１を収納構成から展開構成に動かすために、ユーザは先ず、端部１０、１１の脚部１６、１７とキャスターおよび／または車輪４０が地面に配置されるように、ベビーベッド１を位置決めする。次に、ユーザは端部１０、１１（または関連する固定機構）の頂縁上のクリップ６０を解除して２つの端部１０、１１を分離する。次にユーザは２つの端部１０、１１を引き離して、基底１２と２つのサイドバー２１、２２（折り畳まれている）を、迅速かつ同期した方式で動かして展開構成にする。これがベビーベッド１を展開構成にする。
【００７９】
サイドバー２０、２１が展開すると、ユーザは、ロックアウト機構が係合したかどうかをチェックし、係合していなければ、サイドバー２０、２１の内縁を押して、各サイドバーのロックアウト機構を動かしてロック構成にする。するとベビーベッド１は使える状態になる。
【００８０】
ベビーベッド１を展開構成から収納構成に動かすために、ユーザはベビーベッド１から搭乗者を取り出し、次に好ましくは、ベビーベッド１内に収納されていたベッド用品またはその他のものを取り出す。次にユーザは、上記に説明したようにサイドバー２０、２１のロックアウトを解除する。次にユーザは、多分足で、ベビーベッド１の基底１２を持ち上げて、基底１がヒンジ１５、２５の周りで折り畳まれるようにして、サイドバー２０、２１の折り畳みを開始し、端部１０、１１が結合し始めるようにする。
【００８１】
次にユーザはベビーベッド１の２つの端部１０、１１を互いに押し合わせ、それは基底１２を上向きに折り畳ませ続け、サイドバー２０、２１を互いに対して内向きに折り畳ませる。これがベビーベッド１を迅速且つ同期して折り畳ませ、その結果、基底１２とサイドバー２０、２１が、一度完璧に折り畳まれると、端部１０、１１内の凹部に収容されて、次に端部１０、１１が寄せ合わされてクリップ６０（または関連する固定機構）が係合して、ベビーベッド１を収納構成に保持する。
【００８２】
本明細書および請求項で用いられた場合、用語「備える」および「備えた」およびその変形は、特定の特徴、ステップまたは整数が含まれるということを意味する。この用語は、その他の特徴、ステップまたは構成要素の存在を除外するように解釈されるべきではない。
【００８３】
適宜、特定の形態で明示された、または、開示の機能を実行するための手段に関して、または開示の結果を得るための方法またはプロセスに関して明示された、前記の説明、または以下の請求項または添付の図面に開示された特徴は、本発明をその多様な形態で実現するために、個別に、またはそのような特徴の任意の組み合わせで用いられてもよい。
【００８４】
したがって、本発明の上記の実施形態は、例としてのみ説明された。当業者ならば、特許請求の範囲によって規定される本発明の範囲から逸脱せずに、種々の変更がなされ得ることを理解するであろう。例えば、図は、第１のサイドバーが第２のサイドバーの下を通ることを示しているが、この順は交換されてもよい。さらに、ベビーベッドの対向端部または両端部に車輪またはキャスターが設けられてもよいし、あるいは、車輪またはキャスターを全く設けなくてもよい。
【符号の説明】
【００８５】
１            ベビーベッド
１０          第１の端部
１１          第２の端部
１２          基底
１５          ヒンジ
１８          ピボット点
１９          マットレス
２０          サイドバー
２１          サイドバー
２５          ヒンジ
２８          後方部分
３０          側部
３１          側部
３２          可撓性材料
３３          メッシュ部分
４０          車輪
５１          バネ付き部材
５２          凹部
６２          上縁
８０          カバー
８２          ハンドル
【図１】
2018501939.tif 000003
【図２】
2018501939.tif 000004
【図３】
2018501939.tif 000005
【図４】
2018501939.tif 000006
【図５】
2018501939.tif 000007
【図６】
2018501939.tif 000008
【図７】
2018501939.tif 000009
【図８】
2018501939.tif 000010
【国際調査報告】
2018501939.tif 000011
2018501939.tif 000012